(57)【要約】      （修正有）【課題】水路（例えば農地や林道に排水のために施工された水路）の周辺に茂っている草を集めて裁断し、かつ、その水路の内側に堆積している土砂等をほぐし、裁断された草と土砂等を水路の外側にかき上げることができる作業装置を提供する。【解決手段】油圧源を有する駆動装置１０と、駆動装置の油圧源から油圧によって駆動され、水路の周辺に茂っている草を巻き込むように集めて後方に送る集草装置２０と、集草装置の後方に設けられていて、油圧源からの油圧によって駆動されて、集草装置から送られてきた草を裁断する裁断装置３０と、裁断装置の後方に設けられていて、油圧源からの油圧によって駆動されて、水路の内側に堆積している土砂や砂利と裁断装置によって裁断された草とをほぐすロータリー装置４０と、ロータリー装置の後方に設けられていて、ロータリー装置によってほぐされた土砂、砂利及び草を水路の外側にかき上げるかき上げ装置５０とを有する作業装置。【選択図】図１
0003163295.tif 000002
【実用新案登録請求の範囲】
【請求項１】
油圧源を有する駆動装置と、駆動装置の油圧源から油圧によって駆動され、水路の周辺に茂っている草を巻き込むように集めて後方に送る集草装置と、集草装置の後方に設けられていて、油圧源からの油圧によって駆動されて、集草装置から送られてきた草を裁断する裁断装置と、裁断装置の後方に設けられていて、油圧源からの油圧によって駆動されて、水路の内側に堆積している土砂や砂利と裁断装置によって裁断された草とをほぐすロータリー装置と、ロータリー装置の後方に設けられていて、ロータリー装置によってほぐされた土砂、砂利及び草を水路の外側にかき上げるかき上げ装置とを有する作業装置。
【請求項２】
駆動装置が、トラクターの形をした駆動車と従動車を有し、駆動車に油圧源が設けられている、請求項１に記載の作業装置。
【請求項３】
集草装置が、複数のバネを回転させることによって草を巻き込むとともに後方に送り出すものである、請求項１又は２に記載の作業装置。
【請求項４】
ロータリー装置が、回転によってほぐし作業をする多数のロータリー爪を有する、請求項１〜３のいずれか１項に記載の作業装置。
【請求項５】
ロータリー装置が伝達機構を介して駆動車に接続されており、その伝達機構がギヤボックス、伸縮ジョイント及び曲りユニバーサルジョイントを含む、請求項１〜４のいずれか１項に記載の作業装置。
【請求項６】
かき上げ装置がドラム回転型のものである、請求項１〜５のいずれか１項に記載の作業装置。
【請求項７】
かき上げ装置がツメ状スキトリ型のものである、請求項１〜５のいずれか１項に記載の作業装置。
【請求項８】
かき上げ装置が、排出コンベアを介して駆動装置の従動車に持続されており、かき上げ装置によってかき上げられたものが、排出コンベアによってかき上げ装置から駆動装置の従動車まで搬送される、請求項２〜７のいずれか１項に記載の作業装置。
【考案の詳細な説明】
【技術分野】
【０００１】
本考案は、水路の周辺に茂っている草を集めて裁断し、かつ、その水路の内側に堆積している土砂等をほぐしたあと、裁断された草と土砂等とを水路の外側にかき上げることができる作業装置に関する。
【背景技術】
【０００２】
昭和３５年頃から、大型農業を促進するため、主として公共工事の形で農地のインフラ装備が施工されてきた。とくに、水路の環境改善のために、農水省は、農地の基盤整備を進める際に、多数の水路について排水改善をして施工した。
【０００３】
しかし、そのような水路は、現在、土砂で埋まり、所望の機能が発揮されないものが少なくない。圃場の水路は、勾配がほとんどなく、水平なので、土がたまりやすいからである。
【０００４】
また、林道整備においても、水路が施工された。そのように林道に沿って施工された水路の中にも、土砂や砂利が堆積しているものが少なくない。とくに、林道は砂利舗装が多いので、水路に土砂がたまりやすいからである。しかも、水路に堆積した土砂の上や周辺には、草が繁茂していることが多い。
【０００５】
このように管理不足で水路の本来の機能が発揮されていないのが実状である。常時管理をしないと、すぐ土砂がたまり、草木が茂ってしまうのである。
【０００６】
水路にかなりの土砂が堆積し、かつ、草も茂っている現状に対し、どうにか対処してほしいとの声が強くなっている。
【考案の概要】
【考案が解決しようとする課題】
【０００７】
本考案の目的は、水路（例えば農地や林道に排水のために施工された水路）の周辺に茂っている草を集めて裁断し、かつ、その水路の内側に堆積している土砂等をほぐし、裁断された草と土砂等を水路の外側にかき上げることができる作業装置を提供することである。
【課題を解決するための手段】
【０００８】
本考案の解決手段を例示すると、次のとおりである。
【０００９】
（１）油圧源を有する駆動装置と、駆動装置の油圧源から油圧によって駆動され、水路の周辺に茂っている草を巻き込むように集めて後方に送る集草装置と、集草装置の後方に設けられていて、油圧源からの油圧によって駆動されて、集草装置から送られてきた草を裁断する裁断装置と、裁断装置の後方に設けられていて、油圧源からの油圧によって駆動されて、水路の内側に堆積している土砂や砂利と裁断装置によって裁断された草とをほぐすロータリー装置と、ロータリー装置の後方に設けられていて、ロータリー装置によってほぐされた土砂、砂利及び草を水路の外側にかき上げるかき上げ装置とを有する作業装置。
【００１０】
（２）駆動装置が、トラクターの形をした駆動車と従動車を有し、駆動車に油圧源が設けられている、前述の作業装置。
【００１１】
（３）集草装置が、複数のバネを回転させることによって草を巻き込むとともに後方に送り出すものである、前述の作業装置。
【００１２】
（４）ロータリー装置が、回転によってほぐし作業をする多数のロータリー爪を有する、前述の作業装置。
【００１３】
（５）ロータリー装置が伝達機構を介して駆動車に接続されており、その伝達機構がギヤボックス、伸縮ジョイント及び曲りユニバーサルジョイントを含む、前述の作業装置。
【００１４】
（６）かき上げ装置がドラム回転型のものである、前述の作業装置。
【００１５】
（７）かき上げ装置がツメ状スキトリ型のものである、前述の作業装置。
【００１６】
（８）かき上げ装置が、排出コンベアを介して駆動装置の従動車に持続されており、かき上げ装置によってかき上げられたものが、排出コンベアによってかき上げ装置から駆動装置の従動車まで搬送される、前述の作業装置。
【考案の効果】
【００１７】
本考案によれば、水路（例えば農地や林道に排水のために施工された水路）の周辺に茂っている草を集めて裁断し、かつ、その水路の内側に堆積している土砂等をほぐし、裁断された草と土砂等を水路の外側にかき上げることができる。それゆえ、短時間にかつ簡単に所望の機能を発揮する水路を実現できる。
【図面の簡単な説明】
【００１８】
【図１】本考案の１つの実施例による作業装置の概略平面図。
【図２】図１に示す集草装置を説明するための概略立面図。
【図３】図１に示す裁断装置を説明するための概略立面図。
【図４】図１に示すロータリー装置を説明するための概略立面図。
【図５】図１に示すかき上げ装置を説明するための概略立面図。
【図６】かき上げ装置の変形例を説明するための概略立面図。
【図７】かき上げ装置の他の変形例を説明するための概略立面図。
【考案を実施するための形態】
【００１９】
本考案による作業装置は、水路（例えば農地や林道に排水のために施工された水路）に用いるものであり、主として、駆動装置、裁断装置、ロータリー装置、かき上げ装置を有する。
【００２０】
駆動装置は油圧源を有する。好ましくは、駆動装置は、トラクターのような駆動車と、それに従動して移動される従動車からなる。
【００２１】
集草装置は、駆動装置の油圧源からの油圧によって駆動されるようになっていて、水路や林道の周辺や上方に茂っている草を巻き込むように集めて後方に送る。
【００２２】
裁断装置は、集草装置の後方に設けられていて、油圧源からの油圧によって駆動されて、集草装置から送られてきた草を細かく裁断する。
【００２３】
ロータリー装置は、裁断装置の後方に設けられており、油圧源からの油圧によって駆動されて、水路の内側に堆積している土砂や砂利と、裁断装置によって裁断されて水路の内側に落ちた草をほぐす。
【００２４】
かき上げ装置は、ロータリー装置の後方に設けられていて、ロータリー装置によってほぐされた土砂、砂利及び草（主として細かく裁断された草）を水路の外側にかき上げる。
【００２５】
以下、図面を参照して説明する。
【００２６】
本考案の好ましい１つの実施例によれば、作業装置は、駆動装置１０と、駆動装置１０によって駆動される集草装置２０と、集草装置２０の後方に設けられていて、集草装置２０から送られてきた草を細かく裁断する裁断装置３０と、裁断装置３０の後方に設けられているロータリー装置４０及びかき上げ装置５０を備えている。
【００２７】
駆動装置１０は、矢印Ｐの方向に進行するトラクターの形をした駆動車１１とそれに従動する従動車１２とを有する。駆動車１１には、油圧源（図示せず）が設けられている。
【００２８】
集草装置２０は、好ましくは、駆動車１１の前方部の横に配置され、複数のバネ２１を回転させることによって草を内向きに巻き込むとともに、巻き込んで除去した草を後方に送り出すものである。
【００２９】
裁断装置３０は、集草装置２０に直接連結する形で設けられていて、油圧源からの油圧によって駆動されて、集草装置２０から送られてきた草を裁断する。
【００３０】
ロータリー装置４０は、２枚のほぼ三角形状の板３１、３２が中折れ可能に連結された形に構成された連結手段により、裁断装置３０に連結されている。そして、ロータリー装置４０は、回転軸４２と、そこに固定されていて、回転によってほぐし作業をする多数のロータリー爪４１を有する。
【００３１】
ロータリー装置４０は、伝達機構６０を介して駆動車１１に接続されている。それらの間で、伝達機構６０は、ギヤボックス６１、６２、伸縮ジョイント６３、６４及び曲りユニバーサルジョイント６５、６６を含む。
【００３２】
２枚の三角形状の板５１、５２が、中折れ可能に連結された形の連結手段により、かき上げ装置５０は、ロータリー装置４０に連結されている。
【００３３】
また、かき上げ装置５０は、伝達機構６０を介して駆動車１１に接続されている。それらの間で、伝達機構６０は、ギヤボックス６１、６２、伸縮ジョイント６３、６７及び曲りユニバーサルジョイント６８、６９を含む。
【００３４】
後述するように、かき上げ装置５０は、ヘラ状のもの（図５）や、ドラム回転型のもの（図６）や、ツメ状スキトリ型のもの（図７）が好ましい。
【００３５】
かき上げ装置５０が、油圧源からの油圧によって駆動される排出コンベア７０を介して、駆動装置１０の従動車１２に持続されている。
【００３６】
ロータリー装置４０は、回転軸４２が油圧によって回転されて、図４に例示されているように、水路８０の内側に堆積している土砂や砂利８１と裁断装置３０によって裁断された草とを回転軸４２に固定された多数のロータリー爪４１によってほぐす。
【００３７】
かき上げ装置５０は、ロータリー装置４０によってほぐされた土砂、砂利８１及び草を水路８０の外側に回転軸５０ｂの回転によりかき上げ部材５０ａでかき上げる。
【００３８】
かき上げ装置５０によってかき上げられたもの（土砂や草）が、排出コンベア７０によってかき上げ装置５０から駆動装置１０の従動車１２まで搬送される。
【００３９】
駆動装置１０に横側において、前述の集草装置２０と、集草装置２０の後方に設けられていて、集草装置２０から送られてきた草を裁断する裁断装置３０と、裁断装置３０の後方に設けられているロータリー装置４０と、それに連結されたかき上げ装置５０は、進行方向Ｐに沿ってほぼ一列に配置されている。
【００４０】
図２は、集草装置３０の概略を示す。集草装置３０は、複数のバネ２１を回転させることによって草８２を巻き込んで除去するとともに後方に送り出す。
【００４１】
図３において、裁断装置３０は、集草装置２０の直後に連結する形で設けられていて、回転軸３０ａとそれに固定された多数の回転刃３０ｂ（一部のみが図示されている）を有し、油圧源からの油圧によって駆動されて、回転軸３０ａが回転し、集草装置２０から送られてきた草を回転刃３０ｂによって細かく裁断する。
【００４２】
図４は、ロータリー装置の概略を示す。図４に示すロータリー装置４０は、回転軸４２の回転によってほぐし作業をする多数のロータリー爪４１を有する。
【００４３】
図５は、ヘラ状かき上げ装置の変形例を示す。多数のヘラ状かき上げ部材５０ａが回転軸５０ｂに固定されている。
【００４４】
図６は、かき上げ装置がドラム回転型のものを示す。４個のドラム５５が回転軸５３の回りに等間隔に固定されて配置されている。
【００４５】
図７は、かき上げ装置がツメ状スキトリ型のものを示す。スキトリ型のかき上げ部材５６の後端がサポート５７で支持されており、かつ、先端がツメ形状になっている。
【符号の説明】
【００４６】
１０  駆動装置
１１  駆動車
１２  従動車
２０  集草装置
２１  バネ
３０  裁断装置
３０ａ  回転軸
３０ｂ  回転刃
４０  ロータリー装置
４１  ロータリー爪
４２  回転軸
５０  かき上げ装置
５０ａ  ヘラ状かき上げ部材
５０ｂ  回転軸
５３  回転軸
６０  伝達機構
６１、６２  ギヤボックス
６３、６４  伸縮ジョイント
６５、６６、６８、６９  ユニバーサルジョイント
７０  排出コンベア
８０  水路
８１  砂利
８２  草
【図１】
0003163295.tif 000003
【図２】
0003163295.tif 000004
【図３】
0003163295.tif 000005
【図４】
0003163295.tif 000006
【図５】
0003163295.tif 000007
【図６】
0003163295.tif 000008
【図７】
0003163295.tif 000009